(57)【要約】【課題】ＦＰＣの折り曲げに伴い発生する応力を抑え、液晶表示パネルの浮きあがりやＦＰＣ端部の浮きあがりの発生を防ぐことが可能な電気光学装置を提供する。【解決手段】電気光学装置は、表示パネルと、インターフェース基板と、電子部品と、を備える。電子部品はインターフェース基板上に配置される。インターフェース基板は、表示パネルと電子部品とを挟むように折り返されている。インターフェース基板は、電子部品を挟んだ状態で固定される。これにより、ＦＰＣを鋭角に折り返した場合であっても、ＦＰＣに発生する応力を電子部品との結合部分により吸収することができるため、液晶表示パネルの浮きあがりやＦＰＣ端部の浮きあがりの発生を防ぐことができる。【選択図】図２
2009075498.tif 000002
【特許請求の範囲】
【請求項１】
表示パネルと、
前記表示パネルの表示面側に接続されるインターフェース基板と、
前記インターフェース基板上に配置された電子部品と、を備え、
前記インターフェース基板は前記電子部品を挟むように折り返され、
前記電子部品は、折り返された前記インターフェース基板の内側の面の上面及び下面に固着していることを特徴とする電気光学装置。
【請求項２】
表示パネルと、
前記表示パネルの表示面側に接続される第１のインターフェース基板と、
前記表示パネルの表示面側と反対面側に配置される前記第1のインターフェース基板とは分離してなる第２のインターフェース基板と、
前記第１のインターフェース基板上または前記第２のインターフェース基板上に配置された電子部品と、を備え、  前記第１のインターフェース基板及び前記第２のインターフェース基板は、前記電子部品を挟んだ状態でそれぞれの基板に固定し、かつ、互いに導通していることを特徴とする電気光学装置。
【請求項３】
前記第１のインターフェース基板上には第１の複数の配線が配列され、前記第２のインターフェース基板上には第２の複数の配線が配列されてなり、
前記第１の複数の配線及び前記第２の複数の配線どうしは該配線上に設けられたスルーホールを介して互いに導通していることを特徴とする請求項２に記載の電気光学装置。
【請求項４】
請求項１乃至３のいずれか一項に記載の電気光学装置を備えることを特徴とする電子機器。
【発明の詳細な説明】
【技術分野】
【０００１】
本発明は、各種情報の表示に用いて好適な電気光学装置に関する。
【背景技術】
【０００２】
一般的には、電気光学装置の一つである液晶表示装置は、主に、表示パネルとして機能し、液晶を２枚の基板で挟持してなる液晶表示パネルと、ＬＥＤ（Light Emitting Diode）などの光源を端面に有する導光板より構成される照明装置と、を備える。
【０００３】
このような液晶表示装置では、枠上のフレームに照明装置が収められており、液晶表示パネルが上記フレームに両面テープで接着されている。ここで、液晶パネルを駆動するドライバＩＣは、当該液晶パネルの基板上に設置され、フレキシブル基板（ＦＰＣ：Flexible Printed Circuit）を介して外部の電子機器と接続されている。液晶表示パネルの基板に接続されたＦＰＣは、照明装置側に折り返された状態で固定される。
【０００４】
なお、下記特許文献１には、ＦＰＣの折り曲げ部と液晶表示パネルの基板との間に接着材を配置することによって、液晶表示パネルモジュールのサイズを小さくし、基板との接触によるＦＰＣの断線を防ぐ方法が記載されている。
【０００５】
【特許文献１】特開２００６−０７８６２２号公報
【発明の開示】
【発明が解決しようとする課題】
【０００６】
しかし、電子機器の薄型化・小型化を目的とした設計上、ＦＰＣが鋭角に折り曲げられた状態で液晶表示装置が使用される場合がある。この場合、折り返された状態から元の状態に戻ろうとする応力により、ＦＰＣに接着している液晶表示パネルが浮きあがってしまったり、ＦＰＣの端部を固定するテープ等がはがれてしまうという課題がある。また、ＦＰＣ上に電子部品が配置されている液晶表示装置の場合、当該電子部品の存在により、接着材でＦＰＣの折り曲げ部と基板とを密着させて固定することはできず、特許文献１に記載の方法は適用できない。
【０００７】
本発明は、上記の課題を解決するためになされたものであり、ＦＰＣの折り曲げに伴い発生する応力を抑え、液晶表示パネルの浮きあがりやＦＰＣ端部の浮きあがりを防ぐことが可能な電気光学装置を提供することを目的とする。
【課題を解決するための手段】
【０００８】
本発明の１つの観点では、電気光学装置は、表示パネルと、前記表示パネルの表示面側に接続されるインターフェース基板と、前記インターフェース基板上に配置された電子部品と、を備え、前記インターフェース基板は前記電子部品を挟むように折り返され、前記電子部品は、折り返された前記インターフェース基板の内側の上面及び下面に固着している。
【０００９】
上記の電気光学装置は、表示パネルと、インターフェース基板と、電子部品と、を備える。電子部品はインターフェース基板上に配置される。インターフェース基板は、電子部品を挟むように折り返され、電子部品は折り返されたインターフェース基板の内側の面の上面及び下面に固着している。上記インターフェース基板として好適な一例としては、フレキシブル基板がある。
【００１０】
折り返されることにより、平面状態に戻ろうとする応力がインターフェース基板に発生する。よって、インターフェース基板が鋭角に折り返され、上記応力が強くなると、インターフェース基板に接着している液晶表示パネルの浮きあがりやインターフェース基板端部の浮きあがりが発生するなどの問題が生じうる。この点、上記の電気光学装置では、インターフェース基板の折り返しによる応力を、電子部品とインターフェース基板との固定部分により吸収することができるので、液晶表示パネルの浮きあがりやインターフェース基板端部の浮きあがりの発生を防ぐことができる。
【００１１】
上記の電気光学装置の好適な例では、前記電子部品は、ＦＰＣの上面及び下面に、半田付けにより固着している。この態様では、ＦＰＣと電子部品とが、半田付けにより金属結合している。これにより、金属結合している分、ＦＰＣと電子部品との固定部分は強度が高まり、ＦＰＣの折り返しに伴い発生する応力に対する耐久性が向上し、液晶表示パネルの浮きあがりやＦＰＣ端部の浮きあがりの発生を防ぐことができる。
【００１２】
上記の電気光学装置の他の好適な例では、前記電子部品は、ＦＰＣの上面及び下面に、接着材により固着している。これにより、ＦＰＣの表面上に配線が露出している場合であっても、電子部品とＦＰＣとを固着させることで発生する可能性がある不必要な導通を防ぐことができる。
【００１３】
本発明の他の観点では、電気光学装置は、表示パネルと、前記表示パネルの表示面側に接続される第１のインターフェース基板と、前記表示パネルの表示面側と反対面側に配置される前記第１のインターフェース基板とは分離してなる第２のインターフェース基板と、前記第１のインターフェース基板上または前記第２のインターフェース基板上に配置された電子部品と、を備え、前記第１のインターフェース基板及び前記第２のインターフェース基板は、前記電子部品を挟んだ状態でそれぞれの基板に固定し、かつ、互いに導通している。
【００１４】
上記の電気光学装置は、表示パネルと、第１のインターフェース基板と、第２のインターフェース基板と、電子部品と、を備える。電子部品は、第１のインターフェース基板上または第２のインターフェース基板上に配置される。第１のインターフェース基板及び第２のインターフェース基板は、分離してなり、電子部品を挟むように固定されている。第１のインターフェース基板及び第２のインターフェース基板は、互いに導通している。
【００１５】
折り返されることにより、インターフェース基板は曲折部分に常時圧力がかかる。よって、インターフェース基板が鋭角に折り返される場合には、上記圧力により、インターフェース基板の曲折部分が割れてしまうなどの問題が生じうる。この点、上記の電気光学装置では、インターフェース基板を折り返すことがなくなるため、上記圧力が発生せず、インターフェース基板の割れの発生を防ぐことができる。また、インターフェース基板の曲折部分がない分、電気光学装置を小型化することができる。
【００１６】
上記の電気光学装置の一態様では、前記第１のインターフェース基板上には第１の複数の配線が配列され、前記第２のインターフェース基板上には第２の複数の配線が配列されてなり、前記第１の複数の配線及び前記第２の複数の配線どうしは該配線上に設けられたスルーホールを介して互いに導通している。これにより、分離した２つのインターフェース基板の対応する配線同士が導通をとることができるため、インターフェース基板の割れの発生を防ぐことができる効果を有するとともに、１つの繋がったインターフェース基板と同様に機能させることが可能となる。
【００１７】
上記の電気光学装置の好適な例では、前記第１のインターフェース基板及び前記第２のインターフェース基板は、前記電子部品を挟んで半田付けによって固定されるとともに、前記半田付けによって互いに導通している。
【００１８】
上記の電気光学装置の他の好適な例では、第１のインターフェース基板及び第２のインターフェース基板は、導電性接着剤を介して前記電子部品を挟んで固定されるとともに、前記導電性接着剤によって互いに導通している。
【００１９】
本発明の更に別の観点では、上記の電気光学装置を表示部として備える電子機器を構成することができる。
【発明を実施するための最良の形態】
【００２０】
以下、図面を参照して本発明の好適な実施形態について説明する。尚、以下の実施形態
は、本発明を液晶表示装置に適用したものである。
【００２１】
[液晶表示装置]
図１は、本実施形態に係る液晶表示装置１００の平面図であり、図２は、図１に示した
液晶表示装置１００の切断面Ａ−Ａ´における断面図を示す。
【００２２】
図２に示すように、液晶表示装置１００は、主に、照明装置９と、液晶パネル２０より構成される。液晶パネル２０は、導光板１１の上面に対向して配置される。
【００２３】
照明装置９は、導光板１１と、反射シート１４と、光源部１５と、により構成される。反射シート１４は、導光板１１の下面に配置される。光源部１５は、導光板１１の端面に配置され、点光源である複数のＬＥＤ１６を備える。各ＬＥＤ１６から出射された光Ｌは、導光板１１内へ入り、導光板１１の上下面で反射を繰り返すことにより方向を変え、上面より外部へ出射する。出射した光Ｌは、液晶パネル２０へ向けて進む。
【００２４】
液晶パネル２０は、導光板１１の発光面積とほぼ同一の表示面積を有する。液晶表示パネル２０は、ガラスなどの基板１及び２を、シール材３を介して貼り合わせてセル構造を形成し、その内部に液晶４を封入して構成される。液晶パネル２０は、基板１、２の夫々の外面上に偏光板５を備える。
【００２５】
照明装置９と液晶パネル２０との間には、光学シートとして、例えば、拡散シート１２、プリズムシート１３が設けられる。拡散シート１２は、導光板１１より出射された光Ｌを全方位に拡散する役割を有する。プリズムシート１３は、光Ｌを液晶パネル２０に集光する役割を有し、断面が略三角形のプリズム形状を一辺の方向（当該断面と垂直な辺の方向）に延在させた形状を有する。導光板１１から出射した光Ｌは、これらの光学シートを通過した後、液晶パネル２０を透過することにより照明する。
【００２６】
液晶パネル２０には、ＣＯＧ（Chip On Glass）技術により、液晶駆動用ＩＣ（ドライバ）たるドライバＩＣ４０が直接実装されている。液晶パネル２０の端部には、インターフェース基板として機能するフレキシブル基板（ＦＰＣ：Flexible Printed Circuit）５１（以後、「ＦＰＣ５１」と呼ぶ。）が接続されており、ドライバＩＣ４０の一部の端子は液晶パネル２０上に形成された配線５２を通じて、ＦＰＣ５１に接続されている。この場合、ＦＰＣ５１の端部は、液晶パネル２０の端部にＡＣＦ（Anisotropic Conductive Film）を用いた圧着加工等により固定される。ＦＰＣ５１の他端には、コネクタ５１ｘが設けられている。外部の電子機器はコネクタ５１ｘに電気的に接続される。ドライバＩＣ４０は、ＦＰＣ５１を介して供給された外部の電子機器からの制御信号を基に、液晶パネル２０の駆動回路を駆動する。これにより、液晶４の配向状態は制御されることとなる。
【００２７】
照明装置９、即ち、導光板１１と反射シート１４と光源部１５は、樹脂や金枠で形成された枠状のフレーム６１の開口部に嵌め込まれている。更に、フレーム６１には、拡散シート１２、プリズムシート１３といった光学シートが、導光板１１の上面の表面上に配置されている。液晶パネル２０は、例えば、遮光性を有する枠状の両面テープ２１によって、フレーム６１の開口部を覆うようにフレーム６１に接着されて取り付けられている。
（ＦＰＣの形状）
次に、ＦＰＣ５１の形状について詳しく述べる。ＦＰＣ５１上には抵抗やコンデンサ等から構成される電子部品４１が配置されている。また、図２に示すように、ＦＰＣ５１は液晶パネル２０及び電子部品４１を挟むように折り返されている。従って、ＦＰＣ５１は、その位置により、破線枠８０の領域内に位置する上面５１ａと、破線８０の領域外に位置するＦＰＣの部分、即ち上面５１ａと対向し、上面５１ａの下に位置するＦＰＣの下面５１ｂ、とに分けることができる。言い換えると、ＦＰＣの上面５１ａは、図１の平面図で可視できるＦＰＣの部分であり、下面５１ｂは図１の平面図では可視できないＦＰＣの部分である。
【００２８】
そして、電子部品４１及び液晶パネル２０は、ＦＰＣの上面５１ａと下面５１ｂとの間に位置する。即ち、図１において、電子部品４１はＦＰＣの上面５１ａの下に位置し、その配置が破線枠で表されている。なお、図１では、電子部品４１が一列に配列されているが本発明が適用可能な形態はこれに限らない。つまり、電子部品４１の配列には本発明は捉われない。
【００２９】
図２に示すように、ＦＰＣの下面５１ｂは、端部にてテープ７０にてフレーム６１に固定されている。なお、下面５１ｂは、テープ７０に限らず接着剤等によりフレーム６１に圧着し、固定されていてもよい。また、図２では、電子部品４１はＦＰＣの上面５１ａに位置するように配置されているが、これに限らず、電子部品４１はＦＰＣの下面５１ｂに位置するように配置されていてもよい。また、電子部品４１がＦＰＣの上面５１ａ及び下面５１ｂの両方に配置されていてもよい。
【００３０】
そして、本実施形態に係る液晶表示装置１００では、ＦＰＣの上面５１ａに配置された電子部品４１は、下面５１ｂと半田付けによって固定されている。図２中の７１は、半田付け後の半田を表す。即ち、ＦＰＣの上面５１ａ及び下面５１ｂに挟まれた状態で、電子部品４１が上面５１ａ及び下面５１ｂに固着している。
【００３１】
図３は、比較例に係る液晶表示装置１００ａの断面図を示す。液晶表示装置１００ａは、液晶表示装置１００と同じくＦＰＣ５１上に電子部品４１が配置されており、ＦＰＣ５１の端部は、液晶表示パネル２０の端部及びフレーム６１で固定される。しかしながら、薄型化を目的とした電子機器の設計により、液晶表示装置１００ａは、ＦＰＣ５１が鋭角に折り返される場合、即ち、図３に示すＦＰＣの上面と下面との距離９５が小さくなる場合がある。このような場合では、折り返された状態から元の水平な状態に戻ろうとする力がＦＰＣ５１に発生する。即ち、図３に示すように、ＦＰＣ５１の上面及び下面にそれぞれ応力９０及び応力９１が発生する。そして、応力９０によって、液晶表示パネル２０のパネル浮きが発生する可能性があるという問題がある。また、応力９１によって、ＦＰＣ５１を固定するテープ７０がはがれてしまう可能性があるという問題がある。
【００３２】
そこで、液晶表示装置１００は、電子部品４１とＦＰＣ５１とを固着させることにより、このような問題を解決している。液晶表示装置１００では、ＦＰＣ５１を折り曲げることにより発生する応力を電子部品４１とＦＰＣ５１との固定部分で吸収している。電子部品４１とＦＰＣの上面５１ａ及び下面５１ｂとは半田７１により金属結合しているため、上記応力に対する強度を高めることができ、液晶表示パネル２０のパネル浮きやテープ７０がはがれてしまうのを防ぐことができる。
【００３３】
図４は、図１に示した液晶表示装置１００の破線Ｂ−Ｂ´における断面図の一部を示す。図４に示すように、ＦＰＣ５１は、主に、ポリイミド樹脂またはエポキシ樹脂などの可撓性を有するプラスチックフィルムからなるベースフィルム５９と、ベースフィルム５９の表面に形成され、銅（Ｃｕ）などの金属よりパターン形成された配線５３と、配線５３の保護等のために設けられたプラスチックフィルムからなるカバーレイフィルム５５と、これらを接着するための接着層５４と、を有する。また、ＦＰＣ５１上に配置された電子部品４１と配線５３との導通を図るため、スルーホール８３ａが設けられている。
【００３４】
なお、液晶表示装置１００では、電子部品４１とＦＰＣ５１とが半田７１によって固定されているが、これに限らず、ＡＣＦ等の導電性の接着剤または導電性のない接着剤で電子部品４１とＦＰＣ５１とを固定してもよい。例えば、ＦＰＣ５１の表面にカバーレイフィルム５５が実装していない場合は、導電性のない接着剤を使用することで、配線５３同士の不必要な導通が発生する可能性をなくすことができる。
【００３５】
また、ＦＰＣ５１と電子部品４１とを固着させることにより、ＦＰＣ５１の異なる配線５３間の導通を図ることも可能である。図５の液晶装置１００の断面図に示すように、ＦＰＣ５１の上面５１ａ左側に配置されている配線５３ａｘと、ＦＰＣの下面５１ｂ左側に配置されている配線５３ｂｘとは、繋がった１つの配線であり、導通している。ここで、例えば図５に示すように、下面５１ｂの中央に位置する配線５３ｂｙにスルーホール８３ｂを設け、スルーホール８３ａと共に半田付けをすることにより、本来は導通していない配線５３ａｘと配線５３ｂｙとを導通させることも可能であり、液晶表示装置の設計の自由度を高めることができる。
【００３６】
[変形例]
次に、本発明の変形例について述べる。上記の実施形態に係る液晶表示装置１００は、電子部品４１をＦＰＣ５１に固着させることにより、ＦＰＣ５１を鋭角に折り返すことにより発生する応力を、固着された電子部品の部分で吸収していた。しかし、図６の液晶表示装置１００の断面図に示すように、液晶表示装置１００をさらに薄型にする等の場合、即ちＦＰＣ５１の上面と下面との距離９５がさらに小さくなる場合、ＦＰＣの曲折部８１に対し、ＦＰＣの上面からの圧力９２ａと、下面からの圧力９２ｂとが掛かる。そして、上記圧力により曲折部８１が割れてしまう可能性がある。
【００３７】
そこで、本発明の変形例では、図７の液晶表示装置１００ｂに示すように、ＦＰＣの上面５１ａと下面５１ｂとを、物理的に分離している。即ち、２つのＦＰＣ５１ａ、５１ｂが、液晶表示パネルの表示面側と、表示面の裏側とに配置されている。このようにすることで、１つのＦＰＣを折り返すことによる曲折部への圧力の発生を防ぎ、ＦＰＣの割れを防ぐことができる。また、ＦＰＣに曲折部がない分、液晶表示装置１００ｂの小型化を実現することができる。
【００３８】
なお、変形例では、ＦＰＣ５１ａとＦＰＣ５１ｂとが分断されているため、互いに導通をとる必要がある。そこで、ＦＰＣ５１ａとＦＰＣ５１ｂとで導通をとる方法の一例を示す。図８は、液晶表示装置１００ｂの断面図を示す。図８に示す断面図は、図１の破線Ｂ−Ｂ´における断面図に対応する部分である。
【００３９】
図８における配線５３ａｘと５３ｂｘ、５３ａｙと５３ｂｙ、５３ａｚと５３ｂｚ、とは本来ではそれぞれ１つの配線からなり、互いに導通しなければならない。よって、変形例の液晶表示装置１００ｂにおいても、これらの配線間で導通をとる必要がある。そこで、液晶表示装置１００ｂでは、導通をとる必要がある配線ごとに半田付けを行い、導通をとっている。各配線上には、導通をとるためのスルーホール８３が設けられている。このようにすることで、配線５３ａｘと５３ｂｘ、５３ａｙと５３ｂｙ、５３ａｚと５３ｂｚ、とはそれぞれ導通をとることができ、ＦＰＣ５１ａとＦＰＣ５１ｂとで導通をとることができる。
【００４０】
なお、配線間の不要な導通を避けるため、必要に応じ、ＦＰＣ５１ａとＦＰＣ５１ｂとの間に絶縁部材等を配置してもよい。例えば、図８では、配線５３ａｙと配線５３ｂｙとの導通をとる際、電子部品４１との導通を避けるため、絶縁部材７２が配置されている。これにより、配線５３ａｙ及び配線５３ｂｙと電子部品４１との不必要な導通を避けることができる。なお、液晶表示装置１００ｂでは、半田７１を用いてＦＰＣ５１ａとＦＰＣ５１ｂとの導通を行っているが、これに限らず、例えば導電性の接着剤を用いてＦＰＣ５１ａとＦＰＣ５１ｂとの導通を行ってもよい。
【００４１】
また、配線間の導通をとるため、導電性の部材をＦＰＣ５１ａとＦＰＣ５１ｂとの間に配置してもよい。これにより、ＦＰＣの配線上に電子部品が配置していない箇所が存在した場合であっても、上記導電性の部材を半田付け等をして導通をとりたい配線間に配置することにより、ＦＰＣ５１ａとＦＰＣ５１ｂとの導通を行うことができる。
【００４２】
なお、変形例では、ＦＰＣ５１ａ、ＦＰＣ５１ｂを折り曲げる必要がない。よって、ＦＰＣ５１ａ、ＦＰＣ５１ｂには、フレキシブル基板に限らず、通常のプリント基板を使用してもよい。これにより部品のコスト削減等を図ることができる。
【００４３】
[電子機器]
次に、上述の実施形態に係る液晶表示装置１００、１００ｂを適用可能な電子機器の具体例について図９を参照して説明する。
【００４４】
まず、上述の核実施形態に係る液晶表示装置１００を、可搬型のパーソナルコンピュータ（いわゆるノート型パソコン）の表示部に適用した例について説明する。図９（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００４５】
続いて、上述の実施形態に係る液晶表示装置１００、１００ｂを、携帯電話機の表示部に適用した例について説明する。図９（ｂ）は、この携帯電話機の構成を示す斜視図である。同図に示すように、携帯電話機７２０は、複数の操作ボタン７２１のほか、受話口７２２、送話口７２３とともに、表示部７２４を備える。
【００４６】
なお、本発明に係る液晶表示装置１００、１００ｂを適用可能な電子機器としては、図９に示したパーソナルコンピュータや携帯電話機の他にも、液晶テレビ、ビューファインダ型・モニタ直下型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００４７】
【図１】本発明の実施形態に係る液晶表示装置の平面図。
【図２】実施形態に係る液晶表示装置の切断面Ａ−Ａ´における断面図。
【図３】比較例に係る液晶表示装置の切断面Ａ−Ａ´における断面図。
【図４】実施形態に係る液晶表示装置の破線Ｂ−Ｂ´における断面図。
【図５】ＦＰＣの上面と下面とで導通をとる場合の実施形態に係る液晶表示装置の破線Ｂ−Ｂ´における断面図。
【図６】実施形態に係る液晶表示装置の切断面Ａ−Ａ´における断面図。
【図７】変形例に係る液晶表示装置の切断面Ａ−Ａ´における断面図。
【図８】変形例に係る液晶表示装置の破線Ｂ−Ｂ´における断面図。
【図９】実施形態の液晶表示装置を適用した電子機器の例を示す図。
【符号の説明】
【００４８】
９  照明装置、  １１  導光板、  １５  光源部、  １６  ＬＥＤ、  ２０  液晶表示パネル、  ４０  ドライバＩＣ、  ５１  ＦＰＣ、  ６１、フレーム、  １００、１００ａ、１００ｂ  液晶表示装置
【図１】
2009075498.tif 000003
【図２】
2009075498.tif 000004
【図３】
2009075498.tif 000005
【図４】
2009075498.tif 000006
【図５】
2009075498.tif 000007
【図６】
2009075498.tif 000008
【図７】
2009075498.tif 000009
【図８】
2009075498.tif 000010
【図９】
2009075498.tif 000011